(57)【要約】【課題】瓶体の瓶口を密着するように閉じ、可塑剤などの有害物質が溶け出ることを防ぐことができる割れ易い瓶体の蓋体構造を提供する。【解決手段】割れ易い瓶体の蓋体構造は、蓋本体１、弾性パッド２及びステンレスパッド３を備える。蓋本体１は、開放端１１及び閉鎖端１２を両端に有し、カバーチャンバが内部に形成される。蓋本体１の開放端１１には、瓶口結合部が設けられる。弾性パッド２は、蓋本体１のカバーチャンバ内に配設されるとともに、カバーチャンバのチャンバ頂部に固定される。ステンレスパッド３は、蓋本体１のカバーチャンバ内に収容されるとともに、蓋本体１の瓶口結合部に当接されて位置決めされ、ステンレスパッド３が瓶口結合部と弾性パッド２との間に可動可能に設けられる。ステンレスパッド３には、蓋本体１の開放端１１側の一面に閉止凹部が設けられる。【選択図】図１
2020097448.tif 000002
【特許請求の範囲】
【請求項１】
蓋本体、弾性パッド及びステンレスパッドを備えた、割れ易い瓶体の蓋体構造であって、
前記蓋本体は、開放端及び閉鎖端を両端に有し、カバーチャンバが内部に形成され、前記カバーチャンバは、前記開放端に設けられたチャンバ口と、前記閉鎖端に設けられたチャンバ頂部と、を有し、前記チャンバ口と前記チャンバ頂部との間の周面には、チャンバ壁が形成され、前記蓋本体の前記開放端には、瓶口結合部が設けられ、
前記弾性パッドは、前記蓋本体の前記カバーチャンバ内に配設されるとともに、前記カバーチャンバの前記チャンバ頂部に固定され、
前記ステンレスパッドは、前記蓋本体の前記カバーチャンバ内に収容されるとともに、前記蓋本体の前記瓶口結合部に当接されて位置決めされ、前記ステンレスパッドが前記瓶口結合部と前記弾性パッドとの間に可動可能に設けられ、前記ステンレスパッドには、前記蓋本体の前記開放端側の一面に閉止凹部が設けられることを特徴とする、
割れ易い瓶体の蓋体構造。
【請求項２】
前記蓋本体の前記瓶口結合部は、前記開放端から前記蓋本体の長手方向で前記カバーチャンバのチャンバ壁の雌ねじ部に成形されることを特徴とする請求項１に記載の割れ易い瓶体の蓋体構造。
【請求項３】
前記蓋本体の前記閉鎖端に隣接する外周壁には、複数の滑り止め凸状エンボスが設けられることを特徴とする請求項１に記載の割れ易い瓶体の蓋体構造。
【請求項４】
前記ステンレスパッドの前記閉止凹部の周面には、面取り部が設けられることを特徴とする請求項１に記載の割れ易い瓶体の蓋体構造。
【請求項５】
前記蓋本体は、ステンレスからなることを特徴とする請求項１に記載の割れ易い瓶体の蓋体構造。
【請求項６】
前記蓋本体は、金属材料からなることを特徴とする請求項１に記載の割れ易い瓶体の蓋体構造。
【発明の詳細な説明】
【技術分野】
【０００１】
本発明は、割れ易い瓶体の蓋体構造に関し、特に、瓶体の瓶口を密着するように閉じ、可塑剤などの有害物質が溶け出ることを防ぐ、衛生的で安全な割れ易い瓶体の蓋体構造に関する。
【背景技術】
【０００２】
従来市販されている水、飲み物、食べ物などを入れるペットボトルなどのプラスチック容器は、瓶体及びボトル蓋がプラスチック材料からなる。プラスチック容器に含まれる可塑剤が溶け出てボトル内の内容物に混入すると、可塑剤が含まれた内容物を飲食した者の健康を害する虞があった。
【０００３】
従来市販されているガラス、セラミックなど割れ易い瓶体に、水、飲み物、食べ物などを入れると、内容物に可塑剤が混入することを防ぐことができるが、瓶口を閉じるボトル蓋がプラスチック材料からなるため、内容物がプラスチック製ボトル蓋に触れると、内容物に可塑剤が混入してしまう虞があった。また、従来の金属ボトル蓋の内面には、１層のプラスチック内膜が形成されていたため、割れ易い瓶体を金属製のボトル蓋で瓶口を閉じても、その内容物が金属製ボトル蓋のプラスチック内膜に触れると、同様に可塑剤が溶け出て内容物に混入してしまう虞があった。
【０００４】
また、ガラス、セラミックなど割れ易い瓶体が焼結成形され、瓶口の上端が平坦でない場合、従来のボトル蓋により瓶口を閉じると、ボトル蓋と瓶口の上端との間に生じた隙間から液体の内容物が漏れ出ることがある上、細菌、微生物などが隙間から割れ易い瓶体内に入ってしまい、内容物が変質したり損壊したりして問題が生じる虞もあった。
【発明の概要】
【発明が解決しようとする課題】
【０００５】
本発明の目的は、瓶体の瓶口を密着するように閉じ、可塑剤などの有害物質が溶け出ることを防ぐことができる、衛生的で安全な割れ易い瓶体の蓋体構造を提供することにある。
【課題を解決するための手段】
【０００６】
上記課題を解決するために、本発明の第１の形態によれば、蓋本体、弾性パッド及びステンレスパッドを備えた、割れ易い瓶体の蓋体構造であって、前記蓋本体は、開放端及び閉鎖端を両端に有し、カバーチャンバが内部に形成され、前記カバーチャンバは、前記開放端に設けられたチャンバ口と、前記閉鎖端に設けられたチャンバ頂部と、を有し、前記チャンバ口と前記チャンバ頂部との間の周面には、チャンバ壁が形成され、前記蓋本体の前記開放端には、瓶口結合部が設けられ、前記弾性パッドは、前記蓋本体の前記カバーチャンバ内に配設されるとともに、前記カバーチャンバの前記チャンバ頂部に固定され、前記ステンレスパッドは、前記蓋本体の前記カバーチャンバ内に収容されるとともに、前記蓋本体の前記瓶口結合部に当接されて位置決めされ、前記ステンレスパッドが前記瓶口結合部と前記弾性パッドとの間に可動可能に設けられ、前記ステンレスパッドには、前記蓋本体の前記開放端側の一面に閉止凹部が設けられることを特徴とする、割れ易い瓶体の蓋体構造を提供する。
【０００７】
前記蓋本体の前記瓶口結合部は、前記開放端から前記蓋本体の長手方向で前記カバーチャンバのチャンバ壁の雌ねじ部に成形されることが好ましい。
【０００８】
前記蓋本体の前記閉鎖端に隣接する外周壁には、複数の滑り止め凸状エンボスが設けられることが好ましい。
【０００９】
前記ステンレスパッドの前記閉止凹部の周面には、面取り部が設けられることが好ましい。
【００１０】
前記蓋本体は、ステンレスからなることが好ましい。
【００１１】
前記蓋本体は、金属材料からなることが好ましい。
【発明の効果】
【００１２】
本発明の割れ易い瓶体の蓋体構造は、瓶体の瓶口を密着するように閉じ、可塑剤などの有害物質が溶け出ることを防ぐことができる。
【図面の簡単な説明】
【００１３】
【図１】本発明の一実施形態に係る割れ易い瓶体の蓋体構造を示す分解斜視図である。
【図２】本発明の一実施形態に係る割れ易い瓶体の蓋体構造を示す斜視図である。
【図３】本発明の一実施形態に係る割れ易い瓶体の蓋体構造を示す断面図である。
【図４】本発明の一実施形態に係る割れ易い瓶体の蓋体構造の使用状態の説明図（１）である。
【図５】本発明の一実施形態に係る割れ易い瓶体の蓋体構造の使用状態の説明図（２）である。
【発明を実施するための形態】
【００１４】
本発明の技術手段、目的及びそれにより達成可能な効果を、より完全かつ明白に開示するために、開示した添付の図面及び符号と併せて本発明を以下に詳説する。
【００１５】
図１〜図３を参照する。図１〜図３に示すように、本発明の一実施形態に係る割れ易い瓶体の蓋体構造は、少なくとも蓋本体１、弾性パッド２及びステンレスパッド３から構成されてなる。
【００１６】
蓋本体１は、ステンレスなどの金属材料からなる。図４を併せて参照する。図４に示すように、蓋本体１は、開放端１１及び閉鎖端１２を両端に有し、カバーチャンバ１３が内部に形成され、カバーチャンバ１３は、開放端１１に設けられたチャンバ口と、閉鎖端１２に設けられたチャンバ頂部と、を有する。チャンバ口とチャンバ頂部との間の周面には、チャンバ壁が形成されている。蓋本体１の開放端１１には、瓶口結合部１４が設けられる。瓶口結合部１４は、開放端１１から蓋本体１の長手方向でカバーチャンバ１３のチャンバ壁の雌ねじ部に成形される。蓋本体１の閉鎖端１２に隣接する外周壁には、複数の滑り止め凸状エンボス１５が設けられる。
【００１７】
弾性パッド２は、蓋本体１のカバーチャンバ１３内に配設されるとともに、カバーチャンバ１３のチャンバ頂部に固定される。
【００１８】
ステンレスパッド３は、蓋本体１のカバーチャンバ１３内に収容されるとともに、ステンレスパッド３が蓋本体１の瓶口結合部１４に当接されて位置決めされ、ステンレスパッド３が瓶口結合部１４と弾性パッド２との間に可動可能に設けられる。ステンレスパッド３には、蓋本体１の開放端１１側の一面に閉止凹部３１が設けられる。閉止凹部３１の周面には、面取り部３２が設けられる。
【００１９】
本実施形態の蓋体によりガラス、セラミックなどの割れ易い瓶体４を閉じて使用する際、蓋本体１の開放端１１を割れ易い瓶体４の瓶口４１に対応して設置し、力を加えて蓋本体１を回すと、蓋本体１のカバーチャンバ１３のチャンバ壁に設けた雌ねじ部の瓶口結合部１４に、割れ易い瓶体４の瓶口４１の周壁の雄ねじ部４２が螺合され、図５に示すように、割れ易い瓶体４の瓶口４１がカバーチャンバ１３に挿入され、瓶口４１の上端がステンレスパッド３の閉止凹部３１に当接された後も、蓋本体１に対して割れ易い瓶体４の瓶口４１を回し続けると、割れ易い瓶体４の瓶口４１の上端によりステンレスパッド３がカバーチャンバ１３のチャンバ頂部に向かって押動され、チャンバ頂部に設けた弾性パッド２にステンレスパッド３が位置決めされる。
【００２０】
ステンレスパッド３の閉止凹部３１の周面の面取り部３２を割れ易い瓶体４の瓶口４１上端の面取り部に当接させると、瓶口４１上端の周縁に完全に密着する。また、ステンレスパッド３がカバーチャンバ１３内で可動可能に設けられ、ステンレスパッド３が割れ易い瓶体４の平坦でない瓶口４１の上端形状に対応するため、蓋を閉じる角度を適宜な角度に調整することができる上、弾性パッド２が弾性を有するため、ステンレスパッド３が弾性パッド２に当接されると、その蓋を閉じる角度が安定し、割れ易い瓶体４の瓶口４１を密着するように閉じることができる。
そのため、蓋体と瓶口４１の上端との間に生じた隙間から、割れ易い瓶体４内の液体などの内容物が漏れ出たり、細菌、微節物などが隙間から割れ易い瓶体４内に進入することを防いだりすることができ、その内容物が変質したり損壊したりすることを防ぐことができる上、割れ易い瓶体４の内容物が瓶口４１でステンレスパッド３に触れたときに、ステンレスパッド３から可塑剤などの有害物質が溶け出て内容物に混入することがない。そのため、消費者が割れ易い瓶体４内の内容物を飲食するときの衛生及び安全性を確保し、身体の健康に悪影響を与えることを防ぐことができる。
【００２１】
本実施形態の蓋本体１は、閉鎖端１２に隣接した外周壁に形成された複数の滑り止め凸状エンボス１５を有するため、消費者が本発明の蓋体を回して割れ易い瓶体４の瓶口４１を開くために蓋本体１を握ったときの手と蓋本体１との間の摩擦力が高い。そのため、蓋体を回して瓶口４１を開けるときに手が滑ることを防ぐことができる。
また、本発明のステンレスパッド３は、蓋本体１のカバーチャンバ１３内で可動可能なため、容易にカバーチャンバ１３内を洗浄して汚れを落とすことができ、衛生的で安全に使用することができる。また、本発明の蓋体は、密封性、無毒性を有し、洗浄し易くて衛生的であるなどの効果があるため、使用者は繰り返して使用することができ、一回使用しただけで廃棄しなくてもよいため、資源が無駄にならず、環境汚染などの問題も無い。
【００２２】
上述したことから分かるように、本発明の割れ易い瓶体の蓋体構造は、以下（１）〜（６）の長所を有する。
（１）蓋本体内にステンレスパッド及び弾性パッドが配設され、ステンレスパッドが蓋本体内で可動可能であるため、割れ易い瓶体の平坦でない瓶口の上端形状に対応することができ、蓋を閉じる角度を適宜な角度に調整することができる上、ステンレスパッドが弾性パッドに当接されたときに、その蓋を閉じる角度が安定しているため、割れ易い瓶体の瓶口を密着するように閉じることができる。
（２）ステンレスパッドの端面に閉止凹部が設けられ、閉止凹部の周面には、面取り部が設けられているため、割れ易い瓶体の瓶口の上端の面取り部に接合させると、瓶口上端の周縁に完全に密着され、漏れ出たり内容物が損壊したり変質したりすることを防ぐことができる。
（３）ステンレスパッドにより瓶口を閉止し、割れ易い瓶体内の内容物が瓶口でステンレスパッドに触れると、ステンレスパッドから可塑剤などの有害物質が溶け出て内容物に混入されるため、消費者が食用する内容物の衛生及び安全性を確保することができる。
（４）ステンレスパッドは、蓋本体内で可動可能なため、容易に蓋本体内を洗浄して汚れを落とすことができる。また、この蓋体は、密封性、無毒性を有し、洗浄し易くて衛生的であるなどの特徴を有し、使用者は繰り返して使用することができ、一回使用しただけで廃棄しなくてもよいため、資源が無駄にならず、環境汚染などの問題も無い。
（５）蓋本体の外周壁に複数の滑り止め凸状エンボスが形成されているため、消費者が本発明の蓋体を回して開くために蓋本体を握ったときに、手と蓋本体との間の摩擦力が高く、蓋体をスムーズに回して瓶口を開けることができる。
（６）蓋体を回して割れ易い瓶体の瓶口を閉じるときに、蓋体が瓶口に密着されて位置決めされたことを容易に感じられるため、強く締め付けすぎたり緩すぎたりすることを防ぎ、瓶口を確実に閉じることができる。
【符号の説明】
【００２３】
１  蓋本体
２  弾性パッド
３  ステンレスパッド
４  割れ易い瓶体
１１  開放端
１２  閉鎖端
１３  カバーチャンバ
１４  瓶口結合部
１５  滑り止め凸状エンボス
３１  閉止凹部
３２  面取り部
４１  瓶口
４２  雄ねじ部
【図１】
2020097448.tif 000003
【図２】
2020097448.tif 000004
【図３】
2020097448.tif 000005
【図４】
2020097448.tif 000006
【図５】
2020097448.tif 000007